(57)【特許請求の範囲】
【請求項１】
底壁２外周から周壁３を起立する容器本体１と、該容器本体上面を開閉自在に閉塞する蓋体４とを、各後部で蓋体４の起伏が自在に枢着させたコンパクト容器において、
上記容器本体周壁上面の一部へ、該周壁上面を開閉自在に閉塞する中蓋11を枢着させて、蓋体開蓋状態では枢着部を中心として上外方への回動が可能に形成し、
かつ上板22の外周部下面へ浅皿状収納部23の周壁上面を気密に接合させて形成した粉末状化粧品充填パック21の上板22上面を、上記中蓋11が枢着部12を中心とする回動で起立した状態で、上下方向への摺動が可能に、かつ上方向への抜出しが可能に適宜係合手段により取付けし、かつ該中蓋起立状態で下方に位置する充填パックの周壁部分に粉体振出し用小孔24を穿設し、又中蓋閉塞状態では充填パック21を容器本体内へ収納可能に設け、
中蓋11起立状態で充填パック21を下限まで下降させたとき、下方に位置する充填パック部分は容器本体内に位置すると共に、該状態から充填パックの浅皿状収納部23に衝撃を与えることで上記小孔24を通って充填パック内粉末を容器本体内へ振出し可能に形成した
ことを特徴とする化粧用コンパクト容器。
【請求項２】
容器本体１を、有底の外容器体1aと、有底の内容器1bとを重ね合せて形成し、
蓋体４後部を外容器体1a後部と枢着させると共に、中蓋11は内容器体1b周壁の上面一部へ枢着させ、中蓋閉塞状態において該中蓋が内容器体上面を閉塞可能に形成した
ことを特徴とする、請求項１記載の化粧用コンパクト容器。
【請求項３】
浅皿状収納部23の周壁上面が囲む上板22部分上面へ凹部27を穿設して該凹部底面の外周部分一部へ貼着させて凹部内へシート28を嵌合させ、かつ該シート下方の凹部底板部分の中央部には、上記シートにより開閉可能に粉末状化粧料流入用の透孔26を穿設した
ことを特徴とする請求項１又は２記載の化粧用コンパクト容器。
【発明の詳細な説明】
【０００１】
【発明の属する技術分野】
本発明は化粧用コンパクト容器に関する。
【０００２】
【従来の技術】
底壁外周から周壁を起立する容器本体と、該容器本体上面を開閉自在に閉塞する蓋体とを、各後部で蓋体の起伏が自在に枢着させた化粧用コンパクト容器が広く知られている。
【０００３】
【発明が解決しようとする課題】
上記従来のコンパクト容器は、容器本体内へ収納させた粉末状の化粧料をパフに付着させて使用しているが、このように使用するとパフに必要以上の化粧料が付着し易く、少量の化粧料を付着させて使用する場合には適当ではない。
【０００４】
本発明は、容器本体に対して起伏自在に枢着させた中蓋下面へ粉末状化粧料充填パックを付設し、該パックを中蓋と共に起立させた状態でそのパック内化粧料を容器本体内へ必要量振出して該振出した化粧料をパフに付着させて使用できるよう設けたものである。
【０００５】
【課題を解決するための手段】
第１の手段として、底壁２外周から周壁３を起立する容器本体１と、該容器本体上面を開閉自在に閉塞する蓋体４とを、各後部で蓋体４の起伏が自在に枢着させたコンパクト容器において、
上記容器本体周壁上面の一部へ、該周壁上面を開閉自在に閉塞する中蓋11を枢着させて、蓋体開蓋状態では枢着部を中心として上外方への回動が可能に形成し、
かつ上板22の外周部下面へ浅皿状収納部23の周壁上面を気密に接合させて形成した粉末状化粧品充填パック21の上板22上面を、上記中蓋11が枢着部12を中心とする回動で起立した状態で、上下方向への摺動が可能に、かつ上方向への抜出しが可能に適宜係合手段により取付けし、かつ該中蓋起立状態で下方に位置する充填パックの周壁部分に粉体振出し用小孔24を穿設し、又中蓋閉塞状態では充填パック21を容器本体内へ収納可能に設け、
中蓋11起立状態で充填パック21を下限まで下降させたとき、下方に位置する充填パック部分は容器本体内に位置すると共に、該状態から充填パックの浅皿状収納部23に衝撃を与えることで上記小孔24を通って充填パック内粉末を容器本体内へ振出し可能に形成した。
【０００６】
第２の手段として、上記第１の手段を有すると共に、容器本体１を、有底の外容器体1aと、有底の内容器1bとを重ね合せて形成し、
蓋体４後部を外容器体1a後部と枢着させると共に、中蓋11は内容器体1b周壁の上面一部へ枢着させ、中蓋閉塞状態において該中蓋が内容器体上面を閉塞可能に形成した。
【０００７】
第３の手段として、上記第１又は第２の手段を有すると共に、浅皿状収納部23の周壁上面が囲む上板22部分上面へ凹部27を穿設して該凹部底面の外周部分一部へ貼着させて凹部内へシート28を嵌合させ、かつ該シート下方の凹部底板部分の中央部には、上記シートにより開閉可能に粉末状化粧料流入用の透孔26を穿設した。
【０００８】
【発明の実施の形態】
以下図面について説明すると、１は底壁２外周から周壁３を起立する容器本体で、図示例においては該容器本体を、有底の外容器体1aと有底の内容器体1bとを重ね合せて形成している。これ等外容器体と内容器体とは適宜治具を用いることで分離可能に形成している。
【０００９】
４は上記容器本体上面を開閉自在に閉塞する蓋体で、該蓋体はその後部を外容器体1aの後部と、蓋体４の起伏が自在に枢着させている。蓋体頂板の下面へは鏡５を貼着させており、又蓋体前部からはフック６を垂下して、外容器体周壁の前面上部に付設した係合突部７へ係合させて蓋体閉塞状態を保持可能とし、又その係合突部７下方に押釦８を装着させ、該押釦の押込みで上記フックが押上げられて開蓋できるよう設けている。
【００１０】
図２が示すように、上記容器本体周壁上面の一部、正確には内容器体周壁の上面一部には、該内容器体上面を開閉自在に閉塞する中蓋11を枢着させ、蓋体開蓋状態では枢着部12を中心として図３が示すように上外方への回動が可能に形成している。図示例ではその中蓋はパフ13載置板兼用に形成している。
【００１１】
上記中蓋11下面へは、上板22の外周部下面へ浅皿状収納部23の周壁上面を気密に接合させて形成した、粉末状化粧品充填パック21を、図３が示すように中蓋
11を起立させた状態で、上下方向への摺動が可能に、かつ上方への抜出しが可能に適宜係合手段により取付けしている。図３は充填パック21をほぼ下限まで下降させた状態を示し、該状態で下方に位置する充填パック部分は容器本体内に位置するよう設ける。又該中蓋起立状態で下方に位置する充填パック周壁部分には粉体振出し用小孔24を穿設しておく。
【００１２】
上記係合手段は図１が示すように中蓋11下面へアリ溝14を、上板22上面にアリ25を、それぞれ設けて形成してもよく、又中蓋下面の前後両側からＬ字形状板を向い合せて、それ等両Ｌ字形状板間の間隙がアリ溝状の溝を形成するよう垂下させ、その溝内へ上板22を摺動自在に嵌合させてもよい。
【００１３】
既述充填パック21の上板22には、粉末状化粧料流入用の透孔26を穿設している。該透孔は、浅皿状収納部23の周壁上面が囲む上板部分上面に凹部27を穿設し、該凹部底面の外周部分一部へ貼着させて凹部内へ合成樹脂製のシート28を嵌合させ、又そのシート下方の凹部底板部分の中央部に穿設している。
【００１４】
尚既述各部材のうち、容器本体１、蓋体４、中蓋11、化粧品充填パック21はそれぞれ合成樹脂材で形成している。
【００１５】
上記構成において、中蓋11および蓋体４を閉塞した図１の状態から、蓋体４を開き、又容器本体側方へ枢着させた中蓋11を図３が示すように起立させ、該状態から化粧品充填パック21を下方へ押下げしてそのパック下部を容器本体内へ入れ、該状態で浅皿状収納部23の底面を押す等して適宜衝撃を加えると、その収納部内に入っている粉末状化粧料が小孔24を通って容器本体内へ入るから、該本体内へ入った化粧料をパフ13に付着させて使用する。
【００１６】
使用後は充填パックを元の位置に戻し、中蓋閉塞により充填パックを容器本体内へ入れ、又蓋体４を閉塞する。
【００１７】
充填パック内化粧品が無くなったときは、図３のように蓋体を開き、かつ中蓋11を起立させた状態で充填パック21を上方へ抜出し、シート28を開いて透孔26からそのパック内へ化粧品を入れ、シートを閉じた後に充填パックを中蓋11下面へ再装着する。
【００１８】
【発明の効果】
本発明は既述構成とするものであり、容器本体周壁上面の一部へ、その周壁上面を開閉自在に閉塞する中蓋11を枢着させ、該中蓋下面へ化粧品充填パック21上面を、中蓋起立状態において上下動可能に取付けし、該充填パックを下限まで下降させたとき、下方に位置する充填パック部分が容器体内へ位置するよう設けたから、又このとき下方に位置する充填パック周壁部分へ振出し用小孔24を設けたから、該状態から振出しされた粉末状化粧料を確実に容器本体内へ落とすことが容易である。又上記充填パック21は中蓋11に対して抜出し可能に設けたから、化粧料が無くなった後の充填パック交換も容易となる。
【００１９】
請求項２のように容器本体を外容器体と内容器体とを重合せて形成し、外容器体と蓋体とを、又内容器体と中蓋とを、それぞれ枢着させて、中蓋で内容器体上面を閉塞可能とすることで、容器の作成が容易となる。
【００２０】
請求項３のように化粧品充填パックの上板に化粧料流入用透孔を、又該透孔を開閉自在に閉塞するシート28を付設することで、浅皿状収納部23内への化粧料充填が容易となり、又上板上面に凹部27を設けて該凹部底面の外周一部へ上記シート28を貼着させて嵌合させることで、該シートを有する化粧品充填パック21の上板22を中蓋11下面へ摺動可能に取付けても、上記シートが上板摺動の際に邪魔となることがない。
【図面の簡単な説明】
【図１】本発明容器を、前後方向へ縦断して示す断面図である。
【図２】本発明容器を、左右方向へ縦断して示す断面図である。
【図３】容器使用方向を示す説明図である。
【図４】図３要部の拡大断面図である。
【符号の説明】
11…中蓋            21…化粧品充填パック
【図１】
0003761141.tif 000002
【図２】
0003761141.tif 000003
【図３】
0003761141.tif 000004
【図４】
0003761141.tif 000005